(57)【要約】【課題】一般利用者と車椅子利用者が同乗したエレベーターにおいても、車椅子利用者の目的階が容易に判別でき、車椅子で降りる際に気まずい思いをしなくてすむ、エレベーターの操作機器を得る。【解決手段】車椅子利用者が行先階登録を行うためにかご室１に設けられた車椅子利用者向け操作盤８Ａと、車椅子利用者以外の一般利用者が行先階登録を行うためにかご室１に設けられた一般利用者向け操作盤８Ｂとを備え、一般利用者向け操作盤８Ｂにある行先階登録ボタン７の脇に車椅子利用者が登録したことを知らせるランプ９を設けた。【選択図】図１
2006213448.tif 000002
【特許請求の範囲】
【請求項１】
車椅子利用者が行先階登録を行うためにかご室に設けられた車椅子利用者向け操作盤と、車椅子利用者以外の一般利用者が行先階登録を行うためにかご室に設けられた一般利用者向け操作盤とを備え、前記一般利用者向け操作盤にある行先階登録ボタンの脇に車椅子利用者が登録したことを知らせるランプを設けたことを特徴とするエレベーターの操作機器。
【請求項２】
車椅子利用者が行先階登録を行うためにかご室に設けられた車椅子利用者向け操作盤と、車椅子利用者以外の一般利用者が行先階登録を行うためにかご室に設けられた一般利用者向け操作盤とを備え、前記一般利用者向け操作盤にある行先階登録ボタンを車椅子利用者が登録した場合としなかった場合で色分けして点灯するようにしたことを特徴とするエレベーターの操作機器。
【請求項３】
車椅子利用者が行先階登録を行うためにかご室に設けられた車椅子利用者向け操作盤と、車椅子利用者以外の一般利用者が行先階登録を行うためにかご室に設けられた一般利用者向け操作盤とを備え、前記一般利用者用操作盤にある行先階登録ボタンの脇に車椅子利用者が登録したことを知らせる文面を記載したランプを設けたことを特徴とするエレベーターの操作機器。
【請求項４】
前記車椅子利用者向け操作盤について、当該操作盤が車椅子利用者向けであることを示す表示手段を設けたことを特徴とする請求項１から請求項３までのいずれかに記載のエレベーターの操作機器。
【発明の詳細な説明】
【技術分野】
【０００１】
この発明は、エレベーターの操作機器、特に、かご室内においてエレベーターかごの行先階、およびかご戸の戸開閉操作を行う、車椅子エレベーターかご室の操作機器に関する。
【背景技術】
【０００２】
従来の車椅子エレベーターかご室の操作機器は、次のように構成されている（例えば、特許文献１参照）。
エレベーターのかご室１には、エレベーター乗場とかご室１内への出入口通行用のためのかご戸２が備えつけられていて、かご戸２の開方向端側にはかご戸２を収納するためのかご室袖壁３が設けられている。かご室袖壁３はかご戸２を挟んだ形態でかご戸２のそれぞれの両側に位置して設けられている。また、かご室１にはかご室袖壁３と一部を接した形態でかご室１への入室方向を両横側壁面としてかご側面壁４が設けられていて、かご側面壁４はかご室１を両側から囲み込む壁面として立設状態に取付けられている。
【０００３】
さらに、かご戸２を開くための戸開ボタン５、戸開ボタン５に隣接してかご戸２を閉めるための戸閉ボタン６が設けられている。また、戸閉ボタン６の近傍には、利用者がかご室１内で自分自身の行きたい目的の階、即ちかごの行先階を設定登録する行先階登録ボタン７が設けられている。
さらにまた、戸開ボタン５と戸閉ボタン６および行先階登録ボタン７は操作盤８上に並んで配置されていて、その操作盤８は一体の形状として構成されている。また、操作盤８は、かご室１のかご側面壁４に設置されている。
【０００４】
この特許文献１に示された従来技術では、行先階登録ボタン７を設けた操作盤８は、かご室１のかご側面壁４またはかご袖壁３のいずれか一方にしか備えられていないが、行先階登録ボタン７を設けた操作盤８をかご室１のかご側面壁４およびかご袖壁３の両方にそれぞれ設けた従来技術も広く利用されている。
そして、この従来技術では、健常者等の一般利用者は主にかご室袖壁３に設置している操作盤８を操作し、車椅子利用者は主にかご側面壁４に設置されている操作盤８を操作する。そして、行先階を指定した場合、袖壁または側面壁どちらの操作盤８を操作しても同じように行先階の登録ボタン７が点灯するという構成にされている。
【０００５】
【特許文献１】特開２００２−１４５５６３号公報
【発明の開示】
【発明が解決しようとする課題】
【０００６】
このような従来技術による車椅子エレベーターかご室の操作機器では、かご室袖壁設置の操作盤（主に一般利用者が使用）の行先階登録ボタンを操作しても、かご側面壁の操作盤（主に車椅子利用者が使用）の行先階登録ボタンを操作しても同じ表示をするという構成となっているから、エレベーターで一般利用者と車椅子利用者がそれぞれ行先階登録ボタンを操作した場合、車椅子利用者が降りる階が判別できないため、車椅子利用者が降りる際に声を出して道を開けてもらう必要があり、一般利用者と車椅子使用者との双方が気まずい思いをするという問題点があった。
【０００７】
この発明は、かかる問題点を解決するためになされたもので、一般利用者と車椅子利用者が同乗したエレベーターにおいても、車椅子利用者の目的階が容易に判別でき、車椅子で降りる際に気まずい思いをしなくてすむ、エレベーターの操作機器を得ることを目的としている。
【課題を解決するための手段】
【０００８】
この発明に係るエレベーターの操作機器では、車椅子利用者が行先階登録を行うためにかご室に設けられた車椅子利用者向け操作盤と、車椅子利用者以外の一般利用者が行先階登録を行うためにかご室に設けられた一般利用者向け操作盤とを備え、前記一般利用者向け操作盤で車椅子利用者が登録したことを知らせるようにしたものである。
【発明の効果】
【０００９】
この発明によれば、一般利用者と車椅子利用者が同乗したエレベーターにおいても、車椅子利用者の目的階が容易に判別でき、車椅子で降りる際に気まずい思いをしなくてすむ、エレベーターの操作機器を得ることができる。
【発明を実施するための最良の形態】
【００１０】
実施の形態１．
この発明による実施の形態１を図１および図２について説明する。図１は実施の形態１におけるエレベーターの操作機器の構成を示す斜視図であり、図２は実施の形態１におけるかご室袖壁に設置された操作盤に係る詳細構成を示す正面図である。
【００１１】
図１において、エレベーターのかご室１には、エレベーター乗場とかご室１内への出入口通行用のためのかご戸２が備え付けられていて、かご戸２の開方向端側にはかご戸２を収納するためのかご室袖壁３が設けられている。かご室袖壁３はかご戸２を挟んだ形態でかご戸２のそれぞれの両側に位置して設けられている。また、かご室１にはかご室袖壁３と一部を接した形態でかご室１への入室方向を両横側壁面として案内するかご側面壁４が設けられていて、かご側面壁４はかご室１を両側から囲み込む壁面として立設状態に取付けられている。
さらに、かご戸２を開くための戸開ボタン５、戸開ボタン５に隣接してかご戸２を閉めるための戸閉ボタン６が設けられている。また、戸閉ボタン６の近傍には、利用者がかご室１内で自分自身の行きたい目的の階、即ちかごの行先階を設定登録する行先階登録ボタン７が設けられている。
さらにまた、戸開ボタン５と戸閉ボタン６および行先階登録ボタン７は操作盤８Ａおよび操作盤８Ｂ上に並んで配置されていて、その操作盤８は一体の形状として構成されている。
そして、操作盤８Ａはかご室１のかご側面壁４に設置され、操作盤８Ｂはかご室１のかご室袖壁３に設置されている。
ここで、健常者等の一般利用者は主にかご室袖壁３に設置している操作盤８を操作し、車椅子利用者は主にかご側面壁４に設置されている操作盤８を操作する。
図２に示すかご室袖壁３に設置される操作盤８Ｂには行先階登録ボタン７の脇に車椅子利用者が操作盤８Ａにより行先階を登録した場合に点灯するランプ９が設けられ、車椅子利用者が操作盤８Ａにより行先階を登録すると、登録された行先階に相当する行先階登録ボタン７の脇に設けられたランプ９が点灯するようにされている。
【００１２】
このように構成された車椅子エレベーターかご室の操作機器においては、ランプ９の点灯によって車椅子利用者の目的階がわかることになる。従って、予め車椅子が降りやすいようにエレベーター内で道を譲ることができ、車椅子利用者がエレベーターを利用しやすくなる。
【００１３】
また、一般利用者にとっても、変に気遣いをする必要が減り、エレベーター内の人の流れがスムーズになり、運行効率も多少よくなる。
【００１４】
この発明による実施の形態１によれば、車椅子利用者が行先階登録を行うためにかご室１のかご側面壁４に設けられた車椅子利用者向け操作盤８Ａと、車椅子利用者以外の健常者等の一般利用者が行先階登録を行うためにかご室１のかご室袖壁３に設けられた一般利用者向け操作盤８Ｂとを備え、前記一般利用者向け操作盤８Ｂにある行先階登録ボタン７の脇に車椅子利用者が前記車椅子利用者向け操作盤８Ａにより行先階を登録したことを知らせるランプ９を設けたので、一般利用者と車椅子利用者が同乗したエレベーターにおいても、行先階登録ボタンの脇に設けられたランプにより、車椅子利用者の目的階が容易に判別でき、車椅子で降りる際に気まずい思いをしなくてすむ、エレベーターの操作機器を得ることができる。
【００１５】
実施の形態２．
この発明による実施の形態２を説明する。
この実施の形態２において、ここで説明する特有の構成以外の構成については、先に説明した実施の形態１における構成と同一の構成内容を具備し、同様の作用を奏するものである。
【００１６】
上記実施の形態１では、ランプ９を設け点灯するようにしたが、行先階登録ボタン７そのものを２色で点灯するようにし、健常者等の一般利用者が一般利用者向け操作盤８Ｂにより行先登録した場合と、車椅子利用者が車椅子利用者向け操作盤８Ａにより行先登録した場合とで、行先階登録ボタン７の点灯を色分けするように構成してもよく、このような構成によっても同様の動作を行わせることができる。
【００１７】
この発明による実施の形態２によれば、車椅子利用者が行先階登録を行うためにかご室１のかご側面壁４に設けられた車椅子利用者向け操作盤８Ａと、車椅子利用者以外の健常者等の一般利用者が行先階登録を行うためにかご室１のかご室袖壁３に設けられた一般利用者向け操作盤８Ｂとを備え、前記一般利用者向け操作盤８Ｂにある行先階登録ボタン７を車椅子利用者が前記車椅子利用者向け操作盤８Ａにより行先階を登録した場合としなかった場合で色分けして点灯するようにしたので、一般利用者と車椅子利用者が同乗したエレベーターにおいても、行先階登録ボタンの色分け点灯により、車椅子利用者の目的階が容易に判別でき、車椅子で降りる際に気まずい思いをしなくてすむ、エレベーターの操作機器を得ることができる。
【００１８】
実施の形態３．
この発明による実施の形態３を図３について説明する。図３は実施の形態３におけるかご室袖壁に設置された操作盤８に係る詳細構成を示す正面図である。
この実施の形態３において、ここで説明する特有の構成以外の構成については、先に説明した実施の形態１における構成と同一の構成内容を具備し、同様の作用を奏するものである。図中、同一符号は同一または相当部分を示す。
【００１９】
図３において、かご室袖壁３に設置される操作盤８Ａには行先階登録ボタン７の脇に車椅子利用者が登録した場合に点灯する、車椅子が降りる旨の文面を記載したランプ１０が設けられている。
このような構成では、実施の形態１や実施の形態２のものに比べ、文章を記載してある分内容が伝わりやすくなっている。
【００２０】
この発明による実施の形態３によれば、車椅子利用者が行先階登録を行うためにかご室１のかご室側面壁４に設けられた車椅子利用者向け操作盤８Ａと、車椅子利用者以外の健常者等の一般利用者が行先階登録を行うためにかご室１のかご室袖壁３に設けられた一般利用者向け操作盤８Ｂとを備え、前記一般利用者用操作盤８Ｂにある行先階登録ボタン７の脇に車椅子利用者が前記車椅子利用者向け操作盤８Ａにより行先階を登録したことを知らせる文面を記載したランプ１０を設けたので、一般利用者と車椅子利用者が同乗したエレベーターにおいても、行先階登録ボタンの脇に設けられた車椅子利用者が登録したことを知らせる文面を記載したランプにより、車椅子利用者の目的階が容易に判別でき、車椅子で降りる際に気まずい思いをしなくてすむ、エレベーターの操作機器を得ることができる。
【００２１】
実施の形態４．
この発明による実施の形態３を図５および図６について説明する。図５は実施の形態４におけるかご室側面壁の操作盤８Ａに係る詳細構成を示す正面図である。図６は実施の形態４におけるかご室側面壁の操作盤８Ａに係る詳細構成の変形例を示す正面図である。
この実施の形態３において、ここで説明する特有の構成以外の構成については、先に説明した実施の形態１における構成と同一の構成内容を具備し、同様の作用を奏するものである。図中、同一符号は同一または相当部分を示す。
【００２２】
図５および図６において、かご室側面壁４の車椅子利用者向け操作盤８Ａに、健常者等の一般利用者が使用しないようにするため、当該操作盤８Ａが車椅子利用者向けであることを示す、車椅子マークからなる標識１１ａ，１１ｂ、または、「車椅子利用者、身障者向け操作盤」と明記した標識１２ａ，１２ｂを、前記車椅子利用者向け操作盤８Ａそのものに設け（標識１１ａ，１２ａ）、または、その周辺に配置する（標識１１ｂ，１２ｂ）。
これにより、一般利用者にかご室袖壁３に設けられた一般利用者向け操作盤８Ｂを使うようにさせることができる。
【００２３】
この発明による実施の形態４によれば、実施の形態１から実施の形態３までのいずれかの構成において、前記車椅子利用者向け操作盤８Ａについて、当該操作盤８Ａが車椅子利用者向けであることを示す、車椅子マークからなる標識１１ａ，１１ｂ、または、「車椅子利用者、身障者向け操作盤」と明記した標識１２ａ，１２ｂを、前記車椅子利用者向け操作盤８Ａそのものに設け（標識１１ａ，１２ａ）、または、その周辺に配置する（標識１１ｂ，１２ｂ）ことによる表示手段を設けたので、一般利用者と車椅子利用者が同乗したエレベーターにおいても、車椅子利用者の目的階が容易に判別でき、車椅子で降りる際に気まずい思いをしなくてすむとともに、車椅子利用者向け操作盤の利用対象を明確化できるエレベーターの操作機器を得ることができる。
【図面の簡単な説明】
【００２４】
【図１】この発明による実施の形態１における車椅子エレベーターかご室の操作機器の構成を示す斜視図である。
【図２】この発明による実施の形態１における車椅子エレベーターかご室操作機器の操作盤に係る詳細構成を示す正面図である。
【図３】この発明による実施の形態３における車椅子エレベーターかご室操作機器の操作盤に係る詳細構成を示す正面図である。
【図４】この発明による実施の形態４における車椅子エレベーターかご室操作機器の操作盤に係る詳細構成を示す正面図である。
【図５】この発明による実施の形態４における車椅子エレベーターかご室操作機器の操作盤に係る詳細構成の変形例を示す正面図である。
【符号の説明】
【００２５】
１  かご室、２  かご戸、３  かご室袖壁、４  かご側面壁、５  戸開ボタン、６  戸閉ボタン、７  行先階登録ボタン、８  操作盤、９  ランプ。
【図１】
2006213448.tif 000003
【図２】
2006213448.tif 000004
【図３】
2006213448.tif 000005
【図４】
2006213448.tif 000006
【図５】
2006213448.tif 000007